(57)【要約】【課題】撮像画像において所望の被写体に焦点が合っているか否かの判別や、焦点が合っていないとき、所望の被写体に焦点が合った撮像画像を容易に得られるようにする。【解決手段】表示部１８では撮像画像やスルー画像を表示する。合焦判定部１４は、焦点判定領域に対して焦点が合っているか否かの判定を行う。制御部１５は操作部１６の操作に応じて選択した領域を前記焦点判定領域として、焦点判定領域に対して合焦判定部１４によって焦点が合っていないと判定されたときに、撮像画像の撮り直し処理を行う。例えば、焦点判定領域または合焦判定部１４でスルー画像の合焦判定処理を行うことで判定された合焦領域にフォーカスロックして撮像画像の撮り直しを行う。所望の被写体に焦点が合った撮像画像を容易に得られる。【選択図】        図１
2010226588.tif 000002
【特許請求の範囲】
【請求項１】
画像表示を行う表示部と、
前記表示部に表示された撮像画像に対して設定される複数の領域から、焦点が合っているか否かの判定を行う焦点判定領域を選択するための操作部と、
前記焦点判定領域に対して焦点が合っているか否かの判定を行う合焦判定部と、
前記操作部の操作に応じて選択した領域を前記焦点判定領域として、前記合焦判定部によって焦点が合っているか否かの判定を行わせる制御部と
を備える撮像装置。
【請求項２】
前記制御部は、前記焦点判定領域に対して前記合焦判定部によって焦点が合っていないと判定されたときに、撮像画像の撮り直し処理を行う
請求項１記載の撮像装置。
【請求項３】
前記制御部は、前記撮り直し処理において、前記焦点判定領域または前記合焦判定部でスルー画像の合焦判定処理を行うことで判定された合焦領域にフォーカスロックして撮像画像の撮り直しを行う
請求項２記載の撮像装置。
【請求項４】
前記制御部は、前記撮り直し処理において、前記撮像画像と撮り直しを行って得られた撮り直し画像を前記表示部で比較可能に表示させる
請求項３記載の撮像装置。
【請求項５】
前記制御部は、前記撮り直し処理において、撮り直しを行うか否かのメニュー表示を行い、前記操作部で撮り直しを行う操作が行われたとき前記撮像画像の撮り直しを行う
請求項４記載の撮像装置。
【請求項６】
前記制御部は、前記撮り直し処理において、前記判定された合焦領域が複数であるとき、合焦領域毎に焦点を合わせて撮り直しを行う
請求項５記載の撮像装置。
【請求項７】
前記合焦判定部は、合焦の度合いを算出して、該合焦の度合いから焦点が合っているか否かの判定を行う
請求項６記載の撮像装置。
【請求項８】
撮像画像を記録媒体に記録する記録部を備え、
前記制御部は、前記撮り直し処理において、前記合焦領域毎に焦点を合わせて撮り直しを行って得られた撮り直し画像から、合焦の度合いが最も高い画像を選択して、前記記録部によって前記記録媒体に記録させる
請求項７記載の撮像装置。
【請求項９】
前記制御部は、前記撮り直し処理において、前記合焦判定部でスルー画像の合焦判定処理を行うことで判定された判定結果を、判定した領域の位置に表示させる
請求項２記載の撮像装置。
【請求項１０】
前記合焦判定部は、合焦の度合いを算出して、該合焦の度合いから焦点が合っているか否かの判定を行い、
前記制御部は、前記合焦の度合いに応じて前記判定結果の表示を変化させる
請求項９記載の撮像装置。
【請求項１１】
表示部で撮像画像を表示するステップと、
合焦判定部で焦点判定領域に対して焦点が合っているか否かの判定を行うステップと、
制御部で、撮像画像に対して設定される複数の領域から操作部の操作に応じて領域の選択を行い、選択した領域を前記焦点判定領域として、該焦点判定領域に対して前記合焦判定部で焦点が合っているか否かの判定を行わせるステップと
を有する撮像方法。
【発明の詳細な説明】
【技術分野】
【０００１】
この発明は、撮像装置と撮像方法に関する。詳しくは、撮像画像において所望の被写体に焦点が合っているか否かの判別や、焦点が合っていないとき、所望の被写体に焦点のあった撮像画像が得られるように撮り直しを容易に行えるようにする。
【背景技術】
【０００２】
従来、ディジタルカメラ等の撮像装置では、撮像画像が手振れ等によってピンボケになっているか否かをユーザが容易に確認できるようにする提案がなされている。例えば特許文献１では、ピントのずれやブレの状態の確認が容易となるように、表示画面の一部を拡大することが行われている。また、特許文献２では、取り込んだ被写体画像からエッジを検出して、このエッジ検出データに基づいて、ピントの合焦度の判定を行い、ピントの合焦度に応じて警告の度合いを変えることが行われている。
【先行技術文献】
【特許文献】
【０００３】
【特許文献１】特開平１１−１９６３０１号公報
【特許文献２】特開２００３−２６２９０９号公報
【発明の概要】
【発明が解決しようとする課題】
【０００４】
ところで、特許文献１のように被写体のピント位置を単に拡大しただけでは、微妙なピントずれやボケを見逃してしまう可能性がある。また、微妙なピントずれやボケの認識を撮像者の主観に頼っているので、撮像者個々の技量によりボケの認識度が異なる。また、特許文献２のように、エッジ検出データに基づいてピントの合焦度の判定を行うことで、撮像者の個人的な技量によらずにピントの合否判断を簡単に行うことができる。しかし、撮像者にとっては、撮像画像において所望の被写体にピントが確実にあっているかどうかが重要な関心事であり、撮像画像全体の合焦度が高くとも所望の被写体部分に焦点があっていなければ、撮像者の所望する撮像画像を得ることができない。
【０００５】
そこで、本発明では、撮像画像において所望の被写体に焦点が合っているか否かの判別や、焦点が合っていないとき、所望の被写体に焦点が合った撮像画像を容易に得ることが可能となる撮像装置および撮像方法を提供することを目的とする。
【課題を解決するための手段】
【０００６】
この発明の第１の側面は、画像表示を行う表示部と、前記表示部に表示された撮像画像に対して設定される複数の領域から、焦点が合っているか否かの判定を行う焦点判定領域を選択するための操作部と、前記焦点判定領域に対して焦点が合っているか否かの判定を行う合焦判定部と、前記操作部の操作に応じて選択した領域を前記焦点判定領域として、前記合焦判定部によって焦点が合っているか否かの判定を行わせる制御部とを備える撮像装置にある。
【０００７】
この発明においては、表示部に表示された撮像画像に対して焦点判定領域が設定されたとき、合焦判定部では、焦点判定領域に対して焦点が合っているか否かの判定が行われる。制御部では、焦点判定領域について焦点が合っていないと判定されたときに、撮像画像の撮り直し処理が行われる。撮り直し処理では、焦点判定領域またはスルー画像の合焦判定処理を行って判定された合焦領域にフォーカスロックして撮像画像の撮り直しが行われて、例えば撮像画像と撮り直しを行って得られた撮り直し画像が比較可能に表示部で表示される。また、撮り直し処理において、判定された合焦領域が複数であるとき、合焦領域毎に焦点を合わせて撮り直しが行われる。また、合焦領域毎に焦点を合わせて撮り直しを行って得られた撮像画像が複数枚であるとき、合焦の度合いが最も高い撮像画像が選択されて記録媒体に記録される。また、撮り直し処理において、撮り直しを行うか否かのメニュー表示が行われて、撮り直しを行うユーザ操作が行われたとき撮像画像の撮り直しが行われる。さらに、撮り直し処理において、合焦判定部でスルー画像の合焦判定処理を行うことで判定された判定結果が、判定した領域の位置に表示される。また、合焦の度合いから焦点が合っているか否かの判定が行われて、合焦の度合いに応じて判定結果の表示が変化される。
【０００８】
この発明の第２の側面は、表示部で撮像画像を表示するステップと、合焦判定部で焦点判定領域に対して焦点が合っているか否かの判定を行うステップと、制御部で、撮像画像に対して設定される複数の領域から操作部の操作に応じて領域の選択を行い、選択した領域を前記焦点判定領域として、該焦点判定領域に対して前記合焦判定部で焦点が合っているか否かの判定を行わせるステップとを有する撮像方法にある。
【発明の効果】
【０００９】
この発明によれば、撮像画像に対して設定される複数の領域から選択した領域が焦点判定領域に設定されて、この焦点判定領域について焦点が合っているか否かの判定が行われる。このため、撮像画像において所望の被写体に焦点が合っているか否かの判別を容易に行うことができる。また、焦点が合っていないと判定されたときに、撮像画像の撮り直し処理を行うことで、所望の被写体に焦点が合った撮像画像を容易に得ることが可能となる。
【図面の簡単な説明】
【００１０】
【図１】撮像装置の構成を示す図である。
【図２】撮像装置の外観の一部を示す図である。
【図３】撮像装置の第１の動作を示すフローチャートである。
【図４】第１の動作を行ったときの表示部の表示（その１）を示す図である。
【図５】第１の動作を行ったときの表示部の表示（その２）を示す図である。
【図６】第１の動作を行ったときの表示部の表示（その３）を示す図である。
【図７】第１の動作を行ったときの表示部の表示（その４）を示す図である。
【図８】撮像装置の第２の動作を示すフローチャートである。
【図９】第２の動作を行ったときの表示部の表示を示す図である。
【図１０】撮像装置の第３の動作を示すフローチャートである。
【図１１】撮像装置の設定メニュー画面を例示した図である。
【図１２】撮像装置の第４の動作を示すフローチャートである。
【図１３】第４の動作を行ったときの表示部の表示を示す図である。
【図１４】撮像装置の第５の動作を示すフローチャートである。
【図１５】第５の動作を行ったときの表示部の表示（その１）を示す図である。
【図１６】第５の動作を行ったときの表示部の表示（その２）を示す図である。
【発明を実施するための形態】
【００１１】
以下、発明を実施するための形態について、以下の順序で説明を行う。
１．撮像装置の構成
２．撮像装置の外観
３．撮像装置における第１の動作
４．撮像装置における第２の動作
５．撮像装置における第３の動作
６．撮像装置における第４の動作
７．撮像装置における第５の動作
８．撮像装置におけるその他の動作
【００１２】
本発明では、撮像画像に対して設定される複数の領域から領域を選択したとき、この選択した領域が焦点判定領域とされて、焦点が合っているか否かの判定が行われる。また、焦点判定領域に焦点が合っていないと判定されたときに、撮像画像の撮り直し処理が行われる。ここで、第１〜第２の動作は、ユーザが指示したときに撮像画像の撮り直しを行う場合を示している。また、第３の動作は、焦点判定処理に関する設定動作を示している。また、第４〜第５の動作では、焦点判定領域に焦点が合っていないと判定されたときに、自動的に撮像画像の撮り直しを行う場合を示している。さらに、第１と第４の動作は、撮り直しを行う際に、スルー画像の合焦判定処理を行うことなく撮像画像の生成を行う場合を示している。また、第２と第５の動作は、撮り直しを行う際に、スルー画像の合焦判定処理を行い、合焦判定の結果を利用して撮像画像の生成を行う場合を示している。
【００１３】
＜１．撮像装置の構成＞
図１は、撮像装置１０の構成を例示している。撮像装置１０は、カメラ部１１、カメラＤＳＰ１２、ＳＤＲＡＭ１３、合焦判定部１４、制御部１５、操作部１６、表示制御部１７、表示部１８、外部インタフェース（外部Ｉ／Ｆ）１９、記録部２０を備えている。
【００１４】
また、撮像装置１０には、着脱可能な記録媒体２１が装着されている。記録媒体２１は、半導体メモリを用いたいわゆるメモリカード、記録可能なＤＶＤ（Digital Versatile Disc）や記録可能なＣＤ（Compact Disc）等の光記録媒体、磁気ディスクなどの種々のものを用いることができる。この記録媒体２１には、画像信号が所定の画像ファイルフォーマットに準拠して記録される。撮像装置１０は、例えば画像信号をＪＰＥＧ方式で圧縮符号化したのち、Ｅｘｉｆ(Exchange image file format)と称される画像ファイルフォーマットとして、ＤＣＦ(Design rule Camera File system)規定に従って記録媒体２１に記録する。
【００１５】
カメラ部１１は、光学ブロック１１１、撮像素子１１２、前処理部１１３、光学ブロック用ドライバ１１４、タイミング信号生成部１１５、撮像素子ドライバ１１６を備えている。
【００１６】
光学ブロック１１１は、レンズ、フォーカス機構、シャッター機構、絞り（アイリス）機構などを備えている。
【００１７】
撮像素子１１２は、ＣＣＤ（Charge Coupled Device）やＣＭＯＳ（Complementary Metal Oxide Semiconductor）センサが用いられている。撮像素子１１２は、撮像素子ドライバ１１６によって駆動されて、光学ブロック１１１を介して撮像面上に結像された光学像の光電変換を行う。また、撮像素子１１２は、光電変換を行うことにより得られた画像信号を前処理部１１３に出力する。
【００１８】
前処理部１１３は、撮像素子１１２から出力された画像信号に対して、ＣＤＳ（Correlated Double Sampling）処理を行い、リセットノイズ、１／ｆ雑音、熱抵抗雑音等の除去を行うことで、画像信号のＳ／Ｎ比を良好に保つ。また、前処理部１１３は、ＡＧＣ（Automatic Gain Control）処理を行って、画像信号の利得を制御する。さらに、前処理部１１３は、Ａ／Ｄ（Analog/Digital）変換処理を行って、ＣＤＳ処理やＡＧＣ処理が行われたアナログの画像信号をディジタルの画像信号に変換して、カメラＤＳＰ（Digital Signal Processor）１２に出力する。
【００１９】
光学ブロック用ドライバ１１４は、制御部１５から供給された光学ブロック制御信号に応じて光学ブロック駆動信号を生成して光学ブロック１１１に出力する。すなわち、制御部１５からの制御に応じて、光学ブロック１１１のフォーカス機構やシャッター機構および絞り機構が制御される。
【００２０】
タイミング信号生成部１１５は、制御部１５からの制御に応じてタイミング信号を生成する。撮像素子ドライバ１１６は、タイミング信号生成部１１５で生成されたタイミング信号に基づいて駆動信号を生成する。さらに、撮像素子ドライバ１１６は、生成した駆動信号を撮像素子１１２に出力して撮像素子１１２を駆動する。
【００２１】
カメラＤＳＰ（Digital Signal Processor）１２は、カメラ信号処理部１２１、圧縮／伸張部１２２、解像度変換部１２３、ＳＤＲＡＭ（Synchronous Dynamic Random Access Memory）１３に対する制御を行うＳＤＲＡＭコントローラ１２４等を有している。
【００２２】
カメラ信号処理部１２１は、前処理部１１３から出力された画像信号に対して、黒レベル補正処理、ホワイトバランス（ＷＢ）処理、γ補正処理、色補正処理等を行う。
【００２３】
圧縮／伸張部１２２は、ＳＤＲＡＭコントローラ１２４に接続されているＳＤＲＡＭ１３を利用して、カメラ信号処理後の画像信号の圧縮符号化や圧縮符号化されている画像信号の伸張復号化を行う。例えば、圧縮／伸張部１２２は、圧縮符号化方式としてＪＰＥＧ方式を用いて画像信号の圧縮符号化を行う。圧縮／伸張部１２２は、圧縮符号化処理後の画像信号を制御部１５に出力する。また、圧縮／伸張部１２２は、後述するように記録媒体２１から読み出された画像信号の伸張復号化を行う。
【００２４】
解像度変換部１２３は、カメラ信号処理後の画像信号や伸張復号化を行いことにより得られた画像信号の解像度変換を行い、解像度変換が行われた画像信号を制御部１５に出力する。
【００２５】
合焦判定部１４は、制御部１５からの要求に応じて、撮像画像に対して設定される複数の領域から指示された領域の画像信号に基づき合焦度合いの算出を行い、算出した合焦度合いを示す検波信号を制御部１５に通知する。
【００２６】
制御部１５は、例えばＣＰＵ（Central Processing Unit）１５１、フラッシュＲＯＭ（Read Only Memory）１５２、ＲＡＭ（Random Access Memory）１５３、時計部１５４が、システムバス１５５を通じて接続されている。また、システムバス１５５には、合焦判定部１４、表示制御部１７、外部Ｉ／Ｆ１９、記録部２０が接続されている。
【００２７】
フラッシュＲＯＭ１５２は、ＣＰＵ１５１において実行する種々のプログラムや、各処理に必要とされるデータなどが記憶されている。
【００２８】
ＲＡＭ１５３は、ＣＰＵ１５１がプログラムを実行する際の作業領域や、処理の途中結果を一時的に記憶するなどの作業領域として使用される。また、時計部１５４は、現在の年月日、現在の曜日、現在の時刻や撮像日時などを提供する。
【００２９】
ＣＰＵ１５１は、タッチパネルやコントロールキー等からなる操作部１６と接続されている。操作部１６は、ユーザ操作に応じた操作信号をＣＰＵ１５１に出力する。ＣＰＵ１５１は、フラッシュＲＯＭ１５２に記憶されている種々のプログラムを実行して、撮像装置１０の動作がユーザ操作に応じた動作となるように、操作部１６からの操作信号に応じて各部の動作を制御する。また、ＣＰＵ１５１は、フラッシュＲＯＭ１５２に記憶されている種々のプログラムを実行して、合焦判定部１４からの検波信号に基づき、ＡＦ（Auto Focus）制御を行い光学ブロック制御信号を生成して、光学ブロック用ドライバ１１４に出力する。さらに、ＣＰＵ１５１は、操作部１６の操作に応じて選択した領域を焦点判定領域として、この焦点判定領域に対して合焦判定部１４で焦点が合っているか否かの判定を行わせる。また、焦点が合っていないと判定されたときに、ＣＰＵ１５１は撮像画像の撮り直し処理を行う。なお、各部の制御では、フラッシュＲＯＭ１５２やＲＡＭ１５３に記憶されている種々のデータが用いられる。
【００３０】
操作部１６は、複数の操作キーで構成されており、ユーザ操作に応じた操作信号を制御部１５のＣＰＵ１５１に供給する。
【００３１】
表示制御部１７には、液晶表示素子等を用いて構成された表示部１８が接続されている。表示制御部１７は、制御部１５から供給された画像信号に基づき表示駆動信号を生成して表示部１８に出力することで、表示部１８の画面上に画像信号に基づく画像を表示させる。
【００３２】
外部Ｉ／Ｆ１９は、撮像装置１０と例えばコンピュータ装置や通信モジュール等を接続するためのインタフェースである。この外部Ｉ／Ｆ１９を利用することで、例えば、コンピュータ装置から画像信号の供給を受けて、これを装着された記録媒体２１に記録したり、装着された記録媒体２１に記録されている画像信号をコンピュータ装置に供給可能とする。また、通信モジュールを介してインタネットなどのネットワークに接続して、ネットワークを通じて種々の画像信号やその他の情報を取得して記録媒体２１に記録可能とする。また、記録媒体２１に記録されている画像信号を、ネットワークを通じて目的とする相手先に送信可能とする。なお、外部Ｉ／Ｆ１９は、ＩＥＥＥ(Institute of Electrical and Electronics Engineers)１３９４、ＵＳＢ(Universal Serial Bus)等の有線インタフェース、光や電波による無線インタフェースである。
【００３３】
記録部２０は、記録媒体２１に画像信号等を記録したり、記録媒体２１に記録されている画像信号等を読み出すためのインタフェースである。
【００３４】
このように構成された撮像装置１０は、例えば撮像を行う際に、構図を決めることができるようにスルー画像を表示部１８で表示する。また、シャッター操作が行われたとき、設定に従ったシャッター速度等で被写体の撮像を行い、撮像画像の画像信号の生成や、生成した撮像画像の画像信号を記録媒体２１に記録する。また、撮像装置は、記録媒体２１に記録された画像信号を読み出して、これを再生して撮像画像を表示部に表示する。また、外部のパーソナルコンピュータやネットワークを通じて、画像信号の提供を受けて記録媒体２１に記録したり、また、記録媒体２１に記録されている画像信号を読み出して再生したり、外部に出力する。
【００３５】
また、撮像装置１０は、画像信号から算出した合焦度合いに応じて焦点が合っているか否かの判定を行い、焦点が合っていないと判定した場合、焦点が合っていないことを撮像者に報知する。例えば、表示部１８で表示されている撮像画像上に、スーパーインポーズ機能等を用いて、焦点が合っていないことを示す情報を表示する。また、外部Ｉ／Ｆ１９を利用して、発光素子や音声出力装置を利用して、焦点が合っていないことを撮像者に報知するようにしてもよい。
【００３６】
＜２．撮像装置の外観＞
図２は、撮像装置１０の外観の一部、例えば撮像装置１０の筐体の背面に配設される操作部１６および表示部１８を例示している。撮像装置１０の筐体の背面には、表示部１８が設けられ、表示部１８の近傍には複数のキーからなる操作部１６が設けられる。操作部１６は、ズームキー１６１、表示部１８の表示をオン／オフする画面キー１６２、表示部１８にメニュー画面を表示するメニューキー１６３を含む。また、操作部１６は、方向キー１６４ａ〜１６４ｄ、方向キー１６４ａ〜１６４ｄの中央に位置する決定キー１６５、表示切替キー１６６、シャッターキー１６７等を含む。方向キー１６４ａ〜１６４ｄや決定キー１６５は、例えば表示部１８に表示された撮像画像に対して設定される複数の領域から、焦点が合っているか否かの判定を行う焦点判定領域の選択操作等を行うときに用いられる。なお、図２に示した操作部１６は一例であり、キーの位置や種類はこの例に限定されない。また、表示部１８の画面上にタッチパネルを設けて、表示部１８の表示画像に応じて行われたタッチパネル操作に応じて各種動作の実行指示等を行うようにしてもよい。
【００３７】
＜３．撮像装置における第１の動作＞
図３は撮像装置の第１の動作を示すフローチャートである。第１の動作は、ユーザが撮り直しを指示したときに撮像画像の撮り直しを行う場合を示している。また、第１の動作では、撮り直しを行う際に、スルー画像の合焦判定処理を行うことなく撮像画像の生成を行う場合を示している。図４〜図７は第１の動作を行ったときの表示部１８の表示を例示している。
【００３８】
ステップＳＴ１で制御部１５は、被写体の撮像を行う。制御部１５は、ユーザのシャッター操作に応じてカメラ部１１を制御して、撮像画像の画像信号をカメラ部１１からカメラＤＳＰ１２に出力させてステップＳＴ２に進む。
【００３９】
ステップＳＴ２で制御部１５は、撮像画像の表示を行う。制御部１５は、カメラＤＳＰ１２を制御して、カメラ部１１で生成された画像信号に対する種々のカメラ信号処理をカメラ信号処理部１２１で行わせる。また、制御部１５は、解像度変換部１２３で、カメラ信号処理後の画像信号を表示部１８の解像度に応じた画像信号に変換させて、変換後の画像信号を表示制御部１７に供給させる。さらに制御部１５は、表示制御部１７を制御して、解像度変換後の画像信号に基づき駆動信号を生成して表示部１８に供給することで、表示部１８に撮像画像を表示させてステップＳＴ３に進む。なお、制御部１５は、カメラ信号処理後の画像信号の符号化処理を圧縮／伸張部１２２で行わせて、カメラ信号処理後の画像信号を例えばＪＰＥＧ方式の符号化信号として記録部２０に供給させる。また、制御部１５は、記録部２０を制御して符号化信号を記録媒体２１に記録させる。
【００４０】
ステップＳＴ３で制御部１５は、焦点判定処理を実行するか否か判別する。制御部１５は、例えばメニュー表示信号を表示制御部１７に供給して、図４の（Ａ）に示すように、焦点判定処理の選択画面を表示させる。制御部１５は、操作部１６からの操作信号に基づき、ユーザが焦点判定処理を行うか否かのいずれの選択操作を行ったか判別する。制御部１５は、ユーザが焦点判定処理を行うことを選択したときステップＳＴ４に進み、焦点判定処理を行わないことを選択したときステップＳＴ７に進む。
【００４１】
ステップＳＴ４で制御部１５は、焦点判定領域の選択を行う。制御部１５は、焦点が合っているか否かの判定を行う領域の候補（以下「焦点判定候補領域」という）を、撮像画像の画像領域に予め複数設けておく。また、制御部１５は、ユーザが選択した焦点判定候補領域を、焦点が合っているか否かの判定を行う焦点判定領域に設定する。制御部１５は、メニュー表示信号を表示制御部１７に供給して、例えば図４の（Ｂ）に示すように、焦点判定領域の選択画面を表示部１８で表示させる。なお、図４の（Ｂ）は、焦点判定候補領域が９個設けられている場合を例示している。選択画面には焦点判定領域の設定に関する操作説明が表示されており、操作部１６の方向キー１６４ａ〜１６４ｄで焦点判定候補領域の選択、操作部１６の決定キー１６５で選択された焦点判定候補領域を焦点判定領域とすることが示されている。なお、実線が示す枠はカーソルを示しており、カーソルで示された焦点判定候補領域を除く他の焦点判定候補領域を破線で示している。制御部１５は、例えば右方向を示す方向キー１６４ｂが操作されたことを判別したとき、カーソルの位置を中央の領域から右方向の領域に移動する。その後、制御部１５は、決定キー１６５が操作されたことを判別したときカーソルが示す焦点判定候補領域を焦点判定領域に設定して、図４の（Ｃ）に示すように焦点判定領域を識別可能に表示する。例えば、図４の（Ｃ）では、焦点判定領域を二重線で表示している。
【００４２】
ステップＳＴ５で制御部１５は、焦点判定処理を行う。制御部１５は、焦点判定領域の画像について合焦度合いを算出して、焦点判定領域の画像が焦点の合っている画像であるか否か判定してステップＳＴ６に進む。制御部１５は、合焦度合いの算出として、例えば特開２００８−１２９１７４号公報の方法を用いる。すなわち、制御部１５は、焦点判定領域の画像を示す画像信号に対して高域フィルタ処理と低域フィルタ処理を行い、高域フィルタ処理後の信号における最大値ＭＡと低域フィルタ処理後の信号における最大値ＭＢとの比ＲＣ（＝ＭＢ／ＭＡ）を用いる。合焦状態であるときは、特開２００８−１２９１７４号公報に記載されているように、高域フィルタ処理後の信号における最大値と低域フィルタ処理後の信号における最大値との差は、合焦状態から離れていくにつれて大きくなっていく。このため、合焦状態から離れていくにつれて、高域フィルタ処理後の信号における最大値と低域フィルタ処理後の信号における最大値との比ＲＣ（＝ＭＢ／ＭＡ）は大きくなる。そこで、比ＲＣが所定の閾値ＴＨａよりも小さい場合に、合焦度合いが所定レベルより大きいと判定する。
【００４３】
また、高域フィルタ処理後の信号における代表値例えば最大値ＭＡを用いることで、合焦度合いの判定に撮像画像のコントラスト等を考慮してもよい。例えば、比ＲＣが閾値ＴＨａよりも小さく、且つ、高域フィルタ処理後の信号における最大値ＭＡが閾値ＴＨｂよりも大きいという条件を満たす場合に、合焦度合いが所定レベルよりも大きく合焦状態であると判定する。また、この条件が満たされない場合には、合焦度合いが所定レベルよりも低く合焦状態でないと判定する。
【００４４】
なお、合焦度合いは、焦点があっているか否かを示す評価値であればよく、上述の方法で算出される値に限られるものではない。また、焦点判定処理は、特開２００８−１２９１７４号公報の方法に限られるものではない。例えば特開２０００−１７２８５５号公報や特開２００３−２６２９０９号公報の方法を用いて、エッジ検出方向における信号レベルの変化から、エッジ判定に用いる閾値を決定して、この閾値と画像信号に基づいてエッジ検出を行う。さらに、制御部１５はエッジ検出結果から被写体に焦点が合っているか否か判定してもよい。
【００４５】
ステップＳＴ６で制御部１５は、焦点判定処理結果の通知を行う。制御部１５は、ステップＳＴ５で得られた焦点判定処理結果をユーザに通知してステップＳＴ７に進む。制御部１５は、例えば焦点判定処理結果を表示部１８に表示する。また、制御部１５は、焦点が合っていないとき、撮り直しを行うか否かの選択メニューを表示部１８で表示させる。図４の（Ｄ）は、焦点が合っているときに表示部１８で表示される画像を例示している。また、図４の（Ｅ）は、焦点が合っていないときに表示部１８で表示される画像を例示しており、焦点が合っていないとき、撮り直しを行うか否かの選択メニューを示す表示を設けている。
【００４６】
ステップＳＴ７で制御部１５は、撮り直しを行うか否か判別する。制御部１５は、撮り直しを行うユーザ操作が操作部１６で行われたときステップＳＴ１１に進み、撮り直しを行うユーザ操作が行われていないとき処理を終了する。制御部１５は、例えば図４の（Ｅ）に示す選択メニューを表示部１８で表示させる。次に、制御部１５は、方向キーと決定キーのユーザ操作によって「Ｙｅｓ」の表示の選択および決定が行われたときステップＳＴ１１に進み、「Ｎｏ」の表示の選択および決定が行われたとき処理を終了する。また、制御部１５は、ステップＳＴ５で焦点が合っていると判定されているとき、撮り直しを行わないとして処理を終了する。
【００４７】
ステップＳＴ１１で制御部１５は、焦点判定領域にフォーカスロックして撮り直しを行うか否か判別する。制御部１５は、焦点判定領域をフォーカスロック領域として撮り直しを行うユーザ操作が操作部１６で行われたときステップＳＴ１３に進み、他の領域にフォーカスロックして撮り直しを行うユーザ操作が操作部１６で行われたときステップＳＴ１２に進む。制御部１５は、例えば図４の（Ｆ）に示すように、焦点判定領域にフォーカスロックして撮り直しを行うか否かの選択メニューを表示部１８で表示させる。また、制御部１５は、方向キーと決定キーのユーザ操作によって「Ｙｅｓ」の表示の選択および決定が行われたときステップＳＴ１３に進み、「Ｎｏ」の表示の選択および決定が行われたときステップＳＴ１２に進む。
【００４８】
ステップＳＴ１２で制御部１５は、フォーカスロック領域の選択を行ってステップＳＴ１３に進む。制御部１５は、図５の（Ａ）に示すように、フォーカスロック領域の選択画面を表示部１８で表示させる。図５の（Ａ）に示すフォーカスロック領域の選択画面において、フォーカスロック領域は、焦点判定候補領域と対応する領域であり９個設けられている。選択画面には焦点判定領域の設定に関する操作説明が表示されており、操作部１６の方向キー１６４ａ〜１６４ｄでフォーカスロック領域の選択、操作部１６の決定キー１６５で選択されたフォーカスロック領域に焦点を合わせることが示されている。なお、実線が示す枠はカーソルを示している。制御部１５は、例えば右方向を示す方向キー１６４ｂの次に上方向を示す方向キー１６４ａが操作されたことを判別したとき、カーソルの位置を中央の領域から右上方向の領域に移動する。その後、制御部１５は、決定キー１６５が操作されたことを判別したときカーソルが示す領域をフォーカスロック領域に設定して、図５の（Ｂ）に示すようにフォーカスロック領域を識別可能に表示する。例えば、図５の（Ｂ）では、フォーカスロック領域を二重線で表示している。
【００４９】
ステップＳＴ１３で制御部１５は、フォーカスロック領域の設定と通知を行う。制御部１５は、フォーカスロック領域に対して焦点を合わせるフォーカス動作設定を行う。また制御部１５は、フォーカスロック領域の通知を行い、表示部１８の画面上に、フォーカスロック領域を示す表示を設ける。
【００５０】
制御部１５は、例えば焦点判定領域をフォーカスロック領域としたとき、図６の（Ａ）に示すように、フォーカスロック領域（焦点判定領域に相当）を示す表示を表示部１８の画面上に設ける。また、制御部１５は、ステップＳＴ１２でフォーカスロック領域の選択が行われたとき、図５の（Ｃ）に示すように、選択されたフォーカスロック領域を示す表示を表示部１８の画面上に設ける。また、制御部１５は、フォーカスロック領域に対して焦点が合うようにカメラ部１１を制御する。その後、ステップＳＴ１３からステップＳＴ１に戻り、被写体の撮像を行うとフォーカスロック領域に焦点が合った撮像画像の画像信号が生成される。
【００５１】
制御部１５は、図５の（Ｃ）に示すようにフォーカスロック領域が設定されたのち、例えばシャッターキー１６７が半押しされた場合、フォーカスロック領域に対して焦点を合わせるようにフォーカス制御を行う。また、制御部１５は、合焦状態となったとき合焦状態であることを識別可能に表示する。例えば、制御部１５は、図５の（Ｄ）に示すようにフォーカスロック領域を示す表示を実線と破線の二重線から実線の二重線に切り替える。その後、シャッターキー１６７が全押しされると、制御部１５は、フォーカスロック領域に対して焦点を合わせた状態で撮像画像の画像信号をカメラ部１１で生成させる。また、制御部１５は、合焦状態とならないとき、合焦状態でないことを識別可能に表示する。例えば、制御部１５は、図５の（Ｅ）に示すようにフォーカスロック領域を示す表示を実線と破線の二重線から実線の二重線に切り替えて、実線の二重線を点滅させる。
【００５２】
同様に、制御部１５は、図６の（Ａ）に示すようにフォーカスロック領域が設定されたのち、例えばシャッターキー１６７が半押しされた場合、フォーカスロック領域に対して焦点を合わせるようにフォーカス制御を行う。また、制御部１５は、合焦状態となったとき合焦状態であることを識別可能に表示する。例えば、制御部１５は、図６の（Ｂ）に示すようにフォーカスロック領域を示す表示を実線と破線の二重線から実線の二重線に切り替える。その後、シャッターキー１６７が全押しされると、制御部１５は、フォーカスロック領域に対して焦点を合わせた状態で撮像画像の画像信号をカメラ部１１で生成させる。また、制御部１５は、合焦状態とならないとき、合焦状態でないことを識別可能に表示する。例えば、制御部１５は、図６の（Ｃ）に示すようにフォーカスロック領域を示す表示を実線と破線の二重線から実線の二重線に切り替えて、実線の二重線を点滅させる。
【００５３】
なお、焦点判定領域とフォーカスロック領域は１つの領域に限られるものではなく、複数の領域を設定できるようにしてもよい。例えば操作部１６の方向キーと決定キーを操作して図７の（Ａ）に示すように、３つの領域を焦点判定領域に設定できるようにしてもよい。この場合、制御部１５は、３つの焦点判定領域を、図７の（Ｂ）に示すようにフォーカスロック領域として、例えばシャッターキー１６７が半押しされたときには、フォーカスロック領域毎に合焦状態を表示する。例えば３つのフォーカスロック領域が合焦状態となったとき、図７の（Ｃ）に示すように各フォーカスロック領域を示す表示を実線と破線の二重線から実線の二重線に切り替える。その後、シャッターキー１６７が全押しされると、制御部１５は、フォーカスロック領域に対して焦点を合わせた状態で撮像画像の画像信号をカメラ部１１で生成させる。また、制御部１５は、いずれかのフォーカスロック領域が合焦状態でないとき、合焦状態でないことを識別可能に表示する。例えば、制御部１５は、図７の（Ｄ）に示すようにフォーカスロック領域を示す表示を実線と破線の二重線から実線の二重線に切り替えて点滅させる。なお、複数のフォーカスロック領域において、いずれかのフォーカスロック領域が合焦状態とならないとき、合焦状態でないフォーカスロック領域を合焦状態であるフォーカスロック領域と区別可能に表示してもよい。
【００５４】
このような動作を行うと、撮像画像において所望の被写体に焦点が合っているか否か、初心者であっても容易に判別することができる。例えばフォーカス調整等を自動で行うように設定して撮像を行った場合、フォーカスロック領域が必ずしもユーザの所望する被写体の領域とは限られない。このため、ユーザは、撮像装置で焦点判定処理を行わせて、焦点判定領域として所望の被写体の領域を選択すれば、焦点が合っているか否かを容易に判別できる。
【００５５】
また、所望の被写体に焦点が合っていないため撮り直しを行う場合、焦点判定領域をフォーカスロック領域に指定することで、所望の被写体に焦点を合わせた画像を容易に得ることができるようになる。例えば、三脚等を用いて撮像装置を固定して記念写真等の撮像を行う場合、撮像画像の構図と撮り直しを行うときの構図はほぼ等しい。したがって、焦点判定領域をフォーカスロック領域に指定して撮り直しを行えば、所望の被写体に焦点を合わせた撮像画像を容易に得ることができる。
【００５６】
さらに、所望の被写体に焦点が合っているか否かの判定や撮り直しを容易に行うことができるので、撮像の効率化が実現できる。また、撮り直しを行うか否かのメニュー表示を行い、操作部で撮り直しを行う操作が行われたときに撮り直しが行われることから、ユーザが必要と判断した場合にのみ撮り直しを行うことができる。
【００５７】
＜４．撮像装置における第２の動作＞
ところで、図３に示す動作では、撮り直しを行うとき、焦点判定領域をフォーカスロック領域に設定するか否かの判別を行っているが、フォーカスロック領域は焦点判定領域と無関係に設定してもよい。第２の動作は、ユーザが撮り直しを指示したときに撮像画像の撮り直しを行う場合を示している。また、第２の動作では、撮り直しを行う際に、スルー画像の合焦判定処理を行い、合焦判定の結果を利用して撮像画像の生成を行う場合を示している。
【００５８】
図８は、第２の動作を示すフローチャートである。なお、図８において、図３と対応する動作については、同一のステップ番号を付している。また、図９は、第２の動作を行ったときの表示部の表示を例示している。
【００５９】
ステップＳＴ１で制御部１５は、被写体の撮像を行いステップＳＴ２に進む。ステップＳＴ２で制御部１５は、撮像画像の表示を行ってステップＳＴ３に進む。
【００６０】
ステップＳＴ３で制御部１５は、焦点判定処理を実行するか否か判別する。制御部１５は、ユーザが焦点判定処理を行うことを選択したときステップＳＴ４に進み、焦点判定処理を行わないことを選択したときステップＳＴ７に進む。
【００６１】
ステップＳＴ４で制御部１５は、焦点判定領域の選択を行ってステップＳＴ５に進む。
【００６２】
ステップＳＴ５で制御部１５は、焦点判定処理を行う。制御部１５は、焦点判定領域の画像について合焦度合いを算出して、焦点判定領域の画像が焦点の合っている画像であるか否か判定してステップＳＴ６に進む。
【００６３】
ステップＳＴ６で制御部１５は、焦点判定結果の通知を行う。制御部１５は、ステップＳＴ５で得られた焦点判定処理結果をユーザに通知してステップＳＴ７に進む。
【００６４】
ステップＳＴ７で制御部１５は、撮り直しを行うか否か判別する。制御部１５は、例えば図９の（Ａ）に示す選択メニューを表示部１８で表示させて、撮り直しを行うユーザ操作が操作部１６で行われたときステップＳＴ２１に進み、撮り直しを行うユーザ操作が行われていないとき処理を終了する。
【００６５】
ステップＳＴ２１で制御部１５は、撮り直しする際に合焦判定処理を行うか否か判別する。制御部１５は、合焦判定処理を行うユーザ操作が操作部１６で行われたときステップＳＴ２２に進み、合焦判定処理を行うユーザ操作が行われなかったときステップＳＴ７に戻る。制御部１５は、例えば図９の（Ｂ）に示すように合焦判定処理を行うか否かの選択メニューを表示する。なお、図９の（Ｂ）において、かぎ括弧で示す領域は、合焦判定処理が行われる領域を示しており、全ての焦点判定候補領域が含まれている。例えばかぎ括弧で示す領域はマルチＡＦ枠に相当する。また、制御部１５は、方向キーと決定キーのユーザ操作によって「Ｙｅｓ」の表示の選択および決定が行われたときステップＳＴ２２に進み、「Ｎｏ」の表示の選択および決定が行われたときステップＳＴ７に戻る。
【００６６】
ステップＳＴ２２で制御部１５は、合焦判定処理を行う。制御部１５は、撮り直しする前に、スルー画像で焦点判定候補領域毎に焦点が合っているか判定してステップＳＴ２３に進む。
【００６７】
ステップＳＴ２３で制御部１５は、焦点の合っている焦点判定候補領域（以下「合焦領域」という）があるか否か判別する。制御部１５は、ステップＳＴ２２の合焦判定処理で、焦点が合っていると判定された領域がないときステップＳＴ２４に進み、焦点が合っていると判定された領域があるときステップＳＴ２５に進む。
【００６８】
ステップＳＴ２４で制御部１５は、再度合焦判定処理を行うか否か判別する。制御部１５は、再度合焦判定処理を行うユーザ操作が操作部１６で行われたときステップＳＴ２２に戻り、再度合焦判定処理を行うユーザ操作が操作部１６で行われなかったときステップＳＴ７に戻る。制御部１５は、例えば図９の（Ｃ）に示すように合焦判定処理を再度行うか否かの選択メニューを表示部１８で表示させる。また、制御部１５は、方向キーと決定キーのユーザ操作によって「Ｙｅｓ」の表示の選択および決定が行われたときステップＳＴ２２に戻り、「Ｎｏ」の表示の選択および決定が行われたときステップＳＴ７に戻る。
【００６９】
ステップＳＴ２５で制御部１５は、合焦領域の通知を行う。制御部１５は、例えば図９の（Ｄ）に示すように、焦点の合っている焦点判定候補領域を合焦領域として表示部１８の画面上に表示する。また、表示された合焦領域をフォーカスロック領域として撮像を行うか否かの選択メニューを表示してステップＳＴ２６に進む。
【００７０】
ステップＳＴ２６で制御部１５は、合焦領域をフォーカスロック領域として撮像を行うか否か判別する。制御部１５は、合焦領域をフォーカスロック領域として撮像を行うユーザ操作が操作部１６で行われたときステップＳＴ１に戻り、合焦領域をフォーカスロックとして撮像を行うユーザ操作が操作部１６で行われなかったときステップＳＴ７に戻る。制御部１５は、例えば図９の（Ｄ）に示す選択メニューを表示部１８で表示させている場合、方向キーと決定キーのユーザ操作によって「Ｙｅｓ」の表示の選択および決定が行われたときステップＳＴ１に戻る。また、「Ｎｏ」の表示の選択および決定が行われたときステップＳＴ７に戻る。
【００７１】
このような動作を行うと、撮像画像において所望の被写体に焦点が合っているか否かを、初心者であっても容易に判別することができる。また、所望の被写体に焦点が合っていないため撮り直しを行う場合、合焦領域が通知されるので、この通知された領域に焦点のあった画像を容易に得ることができるようになる。
【００７２】
＜５．撮像装置における第３の動作＞
ところで、図３および図８に示す動作では、焦点判定処理を実行するか否かユーザが選択しているが、撮像装置の設定情報で焦点判定処理を行うように設定されているとき、自動的に焦点判定処理を実行するようにしてもよい。第３の動作は、焦点判定処理に関する設定動作を示している。
【００７３】
図１０は、第３の動作を示すフローチャートである。なお、図１０において、図３，図８と対応する動作については、同一のステップ番号を付している。
【００７４】
ステップＳＴ１で制御部１５は、被写体の撮像を行いステップＳＴ２に進む。ステップＳＴ２で制御部１５は、撮像画像の表示を行ってステップＳＴ５’に進む。
【００７５】
ステップＳＴ５’で制御部１５は、焦点判定処理を行う。制御部１５は、焦点判定領域の画像について合焦度合いを算出して、焦点判定領域の画像が焦点の合っている画像であるか否か判定してステップＳＴ６に進む。制御部１５は、上述のステップＳＴ３に示す焦点判定処理を実行するか否かの処理とステップＳＴ４に示す焦点判定領域の選択の処理が省略されており、全ての焦点判定候補領域を焦点判定領域に設定して、各焦点判定領域について焦点が合っているか否か判定する。
【００７６】
ステップＳＴ６で制御部１５は、焦点判定結果の通知を行う。制御部１５は、ステップＳＴ５’で得られた焦点判定処理結果をユーザに通知してステップＳＴ７に進む。
【００７７】
ステップＳＴ７で制御部１５は、撮り直しを行うか否か判別する。制御部１５は、撮り直しを行うユーザ操作が操作部１６で行われたときステップＳＴ３１に進み、撮り直しを行うユーザ操作が行われていないとき処理を終了する。
【００７８】
ステップＳＴ３１で制御部１５は、合焦判定処理を行う。制御部１５は、撮り直しする前に、スルー画像で焦点判定候補領域毎に焦点が合っているか判定してステップＳＴ３２に進む。
【００７９】
ステップＳＴ３２で制御部１５は、焦点が合っている焦点判定領域（合焦領域）があるか否か判別する。制御部１５は、ステップＳＴ３１の合焦判定処理で、焦点が合っていると判定された焦点判定領域がないときステップＳＴ３３に進み、焦点が合っていると判定された焦点判定領域があるときステップＳＴ３４に進む。
【００８０】
ステップＳＴ３３で制御部１５は、再度合焦判定処理を行うか否か判別する。制御部１５は、再度合焦判定処理を行うユーザ操作が操作部１６で行われたときステップＳＴ３１に戻り、再度合焦判定処理を行うユーザ操作が操作部１６で行われなかったときステップＳＴ７に戻る。
【００８１】
ステップＳＴ３４で制御部１５は、合焦領域の通知を行う。制御部１５は、焦点の合っている焦点判定候補領域を合焦領域として表示部１８の画面上に表示する。また、表示された合焦領域をフォーカスロック領域として撮像を行うか否かの選択メニューを表示してステップＳＴ３５に進む。
【００８２】
ステップＳＴ３５で制御部１５は、合焦領域をフォーカスロック領域として撮像を行うか否か判別する。制御部１５は、合焦領域をフォーカスロック領域として撮像を行うユーザ操作が操作部１６で行われたときステップＳＴ１に戻り、合焦領域をフォーカスロックとして撮像を行うユーザ操作が操作部１６で行われなかったときステップＳＴ７に戻る。
【００８３】
このように、ステップＳＴ２の処理の後にステップＳＴ５’の処理を行えば、焦点判定処理を実行するか否かのユーザ操作、および焦点判定処理を実行するとき焦点判定候補領域のいずれの領域を焦点判定領域に設定するかについてのユーザ操作が不要となる。したがって、撮像装置の操作を簡略化できる。
【００８４】
また、図３，図８，図１０の動作を選択的に撮像装置で行う場合、いずれかの動作を行うか設定メニュー画面で選択できるようにする。図１１は、撮像装置の設定メニュー画面を例示している。制御部１５は、操作部１６でカメラ設定メニュー表示操作が行われたとき、表示部１８の画面上に図１１の（Ａ）に示すカメラ設定メニューを表示させる。カメラ設定メニューでは、メニュー項目として、設定された焦点判定領域に焦点が合っているか否か判定する焦点判定処理に関するメニュー項目「焦点判定処理」と、焦点判定表示に関するメニュー項目「焦点判定表示」が設けられている。
【００８５】
制御部１５は、操作部１６における上方向の方向キーと下方向の方向キーのキー操作に応じて、メニュー項目「焦点判定処理」またはメニュー項目「焦点判定表示」のいずれかを選択して、決定キーが操作されたときに選択されていたメニュー項目の設定を行う。例えば、メニュー項目「焦点判定処理」が選択されていた状態で決定キーが操作されたとき、制御部１５は、図１１の（Ｂ）に示すように、焦点判定処理を行うか否かの設定画面を表示する。
【００８６】
制御部１５は、操作部１６における上方向の方向キーと下方向の方向キーのキー操作に応じて、焦点判定処理を行うか否か選択して、決定キーが操作されたときに選択されていた設定を行う。例えば、設定「入」が選択されていた状態で決定キーが操作されたとき、制御部１５は焦点判定処理を行うように設定する。また、設定「切」が選択されていた状態で決定キーが操作されたとき、制御部１５は、焦点判定処理を行わないように設定する。また、制御部１５は、焦点判定処理を行わないように設定したとき、焦点判定表示を行わないことから、図１１の（Ｃ）に示すように、設定対象外の項目であることが明確となるように焦点判定表示に関する表示の切り替えを行う。
【００８７】
制御部１５は、焦点判定処理を行うように設定したとき、焦点判定表示に関する設定を可能とする。制御部１５は、焦点判定処理を行うように設定したとき、例えば図１１の（Ｄ）に示すように、メニュー項目「焦点判定表示」が選択可能とされたメニュー表示を行う。
【００８８】
制御部１５は、メニュー項目「焦点判定処理」が選択されていた状態で決定キーが操作されたとき、図１１の（Ｅ）に示すように、焦点判定表示を自動で行うか否かの設定画面を表示する。
【００８９】
制御部１５は、操作部１６における上方向の方向キーと下方向の方向キーのキー操作に応じて、焦点判定表示を自動で行うか否かのいずれかを選択して、決定キーが操作されたときに選択されていた設定を行う。例えば、設定「自動」が選択されていた状態で決定キーが操作されたとき、制御部１５は焦点判定表示を自動で行うように設定する。また、設定「切」が選択されていた状態で決定キーが操作されたとき、制御部１５は、焦点判定表示を行わないように設定する。例えば、制御部１５は、焦点判定表示に関して「切」が選択されているとき、カメラ設定メニューにおける設定状態は、図１１の（Ｆ）に示す表示となる。
【００９０】
このようにカメラ設定メニューから各項目の設定を行うことができるようにすれば、図３，図８，図１０の動作を選択的に行うことが可能となる。例えば、図３，図８，図１０の動作を行うときは、焦点判定処理を「入」に設定する。なお、焦点判定処理が「切」に設定されたときは、図３，図８，図１０のいずれの動作も行わないようにする。また、図１０の動作を行うときは、焦点判定表示を「切」に設定する。また、図３あるいは図８の動作を行うときは、焦点判定表示を「自動」に設定する。また、図示せずもメニュー項目を増やして、図３または図８のいずれかの動作を選択できるようにしてもよい。このようにすれば、カメラ設定メニューの各項目を設定して、所望の動作を撮像装置１０で行わせることができる。
【００９１】
このような動作を行うと、撮像画像において所望の被写体に焦点が合っているか否かを、初心者であっても容易に判別することができるだけでなく、ユーザ設定に応じて焦点判定処理や焦点判定表示を撮像装置で行わせることができる。このため、例えば撮像装置の利用になれていない初心者が使用する場合にのみ、焦点判定処理や焦点判定表示を撮像装置で自動的に行わせることができる。
【００９２】
＜５．撮像装置における第４の動作＞
また、図３，図８，図１０では、ユーザの指示に応じて撮り直し動作を行う場合について示したが、焦点判定処理結果を利用して撮り直しを自動的に行うようにすれば、焦点の合った撮像画像を更に容易に得ることができる。第４の動作は、焦点判定領域に焦点が合っていないと判定されたときに、自動的に撮像画像の撮り直しを行う場合を示している。また、第４の動作では、撮り直しを行う際に、スルー画像の合焦判定処理を行うことなく撮像画像の生成を行う場合を示している。
【００９３】
図１２は、第４の動作を示すフローチャートである。また、図１３は、第４の動作を行ったときの表示部１８の表示を例示している。
【００９４】
ステップＳＴ１で制御部１５は、被写体の撮像を行いステップＳＴ２に進む。ステップＳＴ２で制御部１５は、撮像画像の表示を行ってステップＳＴ３に進む。図１３の（Ａ）は、ユーザが中段の３つの焦点判別候補領域をフォーカスロック領域として被写体を撮像した場合を示している。ここで、被写体の撮像を行ったとき、図１３の（Ｂ）に示すように撮像画像が表示される。
【００９５】
ステップＳＴ３で制御部１５は、焦点判定処理を実行するか否か判別する。制御部１５は、図１３の（Ｃ）に示すように、焦点判定処理の選択画面を表示させる。制御部１５は、操作部１６からの操作信号に基づき、ユーザが焦点判定処理を行うか否かのいずれの選択操作を行ったか判別する。制御部１５は、ユーザが焦点判定処理を行うことを選択したときステップＳＴ５’に進み、焦点判定処理を行わないことを選択したとき処理を終了する。
【００９６】
ステップＳＴ５’で制御部１５は、焦点判定処理を行う。制御部１５は、焦点判定領域の画像信号を用いて焦点判定領域に焦点が合っているか否か判定してステップＳＴ４１に進む。
【００９７】
ステップＳＴ４１で制御部１５は、焦点判定処理で焦点が合っていない（非合焦）と判定されたか否か判別する。制御部１５は、ステップＳＴ１で被写体の撮像を行うときに設定されたフォーカスロック領域で焦点が合っていないと判別したときステップＳＴ１に戻り、指定されているフォーカスロック領域に焦点を合わせて撮り直しを行う。また、フォーカスロック領域で焦点が合っていると判別したとき処理を終了する。制御部１５は、非合焦と判定したとき、表示部１８で表示されている図１３の（Ｄ）に示す撮像画像を、図１３の（Ｅ）に示すようにスルー画像に切り替えて撮り直しを行う。なお、図１３の（Ｅ）では、フォーカスロック領域が二重線で表示されている状態を示している。
【００９８】
このような処理を行えば、ユーザの指定したフォーカスロック領域の画像が非合焦状態であるとき、このフォーカスロック領域に焦点を合わせて自動的に撮り直しを行うことができる。
【００９９】
＜６．撮像装置における第５の動作＞
第５の動作では、焦点判定領域に焦点が合っていないと判定されたときに、自動的に撮像画像の撮り直しを行う場合を示している。また、第５の動作は、撮り直しを行う際に、スルー画像の合焦判定処理を行い、合焦判定の結果を利用して撮像画像の生成を行う場合を示している。
図１４は、第５の動作を示すフローチャートである。また、図１５，図１６は、第５の動作を行ったときの表示部１８の表示を例示している。
【０１００】
ステップＳＴ１で制御部１５は、被写体の撮像を行いステップＳＴ２に進む。ステップＳＴ２で制御部１５は、撮像画像の表示を行う。制御部１５は、撮像画像を図１５の（Ａ）に示すように表示してステップＳＴ５’に進む。
【０１０１】
ステップＳＴ５’で制御部１５は、焦点判定処理を行う。制御部１５は、焦点判定領域の画像信号を用いて焦点判定領域に焦点が合っているか否か判定してステップＳＴ４１に進む。
【０１０２】
ステップＳＴ４１で制御部１５は、焦点判定処理で焦点が合っていない（非合焦）と判定されたか否か判別する。制御部１５は、ステップＳＴ１で被写体の撮像を行うときに設定されたフォーカスロック領域で焦点が合っていないと判別したときステップＳＴ４２に進み、フォーカスロック領域で焦点が合っていると判別したとき処理を終了する。
【０１０３】
ステップＳＴ４２で制御部１５は、合焦判定処理を行う。制御部１５は、撮り直しする前に、スルー画像で焦点判定候補領域毎に焦点が合っているか判定してステップＳＴ４３に進む。ここで、制御部１５は、撮像画像においてユーザの指定したフォーカスロック領域の画像が非合焦状態であり、撮り直しのため焦点判定候補領域毎に焦点が合っているか否かの判定処理を行っていることをユーザに通知する。制御部１５は、撮像画像をスルー画像に切り替えて、スルー画像で焦点判定候補領域毎に焦点が合っているか否かの判定処理を行い、例えば図１５の（Ｂ）に示すように、焦点判定処理中であることや判定結果を表示部１８で判定を行った領域の位置に表示する。制御部１５は、判定結果を識別できるように、領域を示す枠表示を判定結果に応じて切り替える。なお、図１５の（Ｂ）では右上の二重線で示す焦点判定候補領域で焦点が合っている場合を例示している。
【０１０４】
ステップＳＴ４３で制御部１５は、合焦領域があるか否か判別する。制御部１５は、ステップＳＴ４２の合焦判定処理で、焦点が合っていると判定された領域があるときステップＳＴ４４に進む。また制御部１５は、焦点が合っていると判定された領域がないときステップＳＴ１に戻り、ユーザによって指定されているフォーカスロック領域に焦点を合わせて撮り直しを行う。
【０１０５】
ステップＳＴ４４で制御部１５は、合焦領域にフォーカスロックして撮り直しを行ってステップＳＴ２に戻る。
【０１０６】
このような処理を行うと、ステップＳＴ４３で合焦領域が存在すると判定されたとき、制御部１５は、この判定された合焦領域に焦点を合わせた撮像画像を生成させる。また、制御部１５は、図１５の（Ｃ）に示すように、最初に撮像した撮像画像（左側の画像）と撮り直しによって生成された撮り直し画像（右側の画像）を、比較可能に表示部１８で表示させる。このように、撮像画像と撮り直しを行って得られた撮り直し画像を表示部１８で比較可能に表示すれば、最適な画像を選択して記録媒体２１に記録したり、外部機器に出力させることができる。なお、制御部１５は、表示切替キー１６６の操作に応じて、図１５の（Ｄ）に示すように、撮像画像または撮り直し画像を切り替えて表示するようにしてもよい。
【０１０７】
また、制御部１５は、ステップＳＴ４２の処理で合焦領域が複数検出された場合、合焦領域毎に焦点を合わせて撮り直しを複数回行うようにしてもよい。
【０１０８】
図１６の（Ａ）は最初に撮像された撮像画像を示している。図１６の（Ｂ）は、ステップＳＴ４２の処理で合焦領域が３つ検出された場合を例示している。合焦領域が３つ検出された場合、制御部１５は、ステップＳＴ４４の処理で、３つの合焦領域に対してそれぞれ焦点を合わせた撮り直し画像を生成させる。また、制御部１５は、図１６の（Ｃ）に示すように、最初に撮像した撮像画像（左上側の画像）と撮り直しによって生成された３つの撮像画像（左下側と右側の画像）を表示部１８で表示させる。なお、制御部１５は、表示切替キー１６６の操作に応じて、図１６の（Ｄ）に示すように、最初の撮像画像または撮り直し後の撮像画像を切り替えて表示するようにしてもよい。
【０１０９】
このような処理を行えば、ユーザの指定したフォーカスロック領域の画像が非合焦状態であるとき自動的に撮り直しを行うことができる。また、非合焦状態であるとき、合焦領域毎に焦点を合わせて撮り直しが行われる。このため、フォーカス設定を変えて複数の撮像画像を自動的に生成することが可能となり、複数の撮像画像から最適な撮像画像を選択することができる。
【０１１０】
＜７．撮像装置におけるその他の動作＞
また、撮像装置におけるその他の動作として、焦点判定領域をフォーカスロック領域として撮り直しを自動的に行うようにしてもよい。図３に示す第１の動作では、ステップＳＴ７で撮り直しを行うと判別されて、ステップＳＴ１１で焦点判定領域にフォーカスロックして撮り直しを行うと判別されたとき、焦点判定領域にフォーカスロックして撮り直しが行われる。このため、撮り直しを行うまでにユーザ操作が必要となる。ここで、ステップＳＴ５で焦点が合っていないと判別されたとき、焦点判定領域をフォーカスロック領域として撮り直しを行う動作を自動的に行う。このようにすれば、焦点判定処理を実行させるだけで、焦点が合っていないとき自動的に撮り直しが行われるので、撮像装置の操作が簡単となる。
【０１１１】
また、撮り直しを行うことで複数の撮像画像が得られる場合、合焦度合いに基づいて撮像画像を自動的に選択するようにしてもよい。例えば図１６の（Ｂ）に示すように、合焦領域が３つであった場合、制御部１５は、３つの領域のそれぞれについて焦点を合わせて撮り直しを行い、３枚の撮り直し画像毎に合焦度合いを算出する。さらに、制御部１５は、最も合焦度合いの高い撮り直し画像を自動的に選択したり、選択した撮り直し画像の記録等を行う。このような処理を行えば、撮り直しで複数の画像が生成されても、最適な画像のみの記録等を自動的に行うことができる。
【０１１２】
また、撮り直し画像を図１６の（Ｃ）に示すように表示する場合、各撮り直し画像の合焦度合いの判定結果に応じて表示を変化させる、例えば撮り直し画像の枠表示の色や枠の太さ、枠表示の線種などの属性を合焦度合いに応じて変化させる。このようにすれば枠表示や表示された画像に基づいて、最適な画像をユーザが容易に選択できるようになる。
【０１１３】
なお、本発明は、上述した発明の実施の形態に限定して解釈されるべきではない。この発明の実施の形態は、例示という形態で本発明を開示しており、本発明の要旨を逸脱しない範囲で当業者が実施の形態の修正や代用をなし得ることは自明である。すなわち、本発明の要旨を判断するためには、特許請求の範囲を参酌すべきである。
【産業上の利用可能性】
【０１１４】
この発明の撮像装置および撮像方法は、撮像画像に対して設定される複数の領域から選択した領域を焦点判定領域に設定して、この焦点判定領域について焦点が合っているか否かに判定が行われる。このため、撮像画像において所望の被写体に焦点が合っているか否かの判別を容易に行える。また、焦点が合っていないと判定されたとき、撮像画像の撮り直し処理が行われる。このため、所望の被写体に焦点が合った撮像画像を容易に得ることが可能となり、ディジタルカメラ等に適している。
【符号の説明】
【０１１５】
１０・・・撮像装置、１１・・・カメラ部、１２・・・カメラＤＳＰ、１３・・・ＳＤＲＡＭ、１４・・・合焦判定部、１５・・・制御部、１６・・・操作部、１７・・・表示制御部、１８・・・表示部、１９・・・外部インタフェース（外部Ｉ／Ｆ）、２０・・・記録部、２１・・・記録媒体、１１１・・・光学ブロック、１１２・・・撮像素子、１１３・・・前処理部、１１４・・・光学ブロック用ドライバ、１１５・・・タイミング信号生成部、１１６・・・撮像素子ドライバ、１２１・・・カメラ信号処理部、１２２・・・圧縮／伸張部、１２３・・・解像度変換部、１２４・・・ＳＤＲＡＭコントローラ、１５１・・・ＣＰＵ、１５２・・・フラッシュＲＯＭ、１５３・・・ＲＡＭ、１５４・・・時計部、１５５・・・システムバス、１６１・・・ズームキー、１６２・・・画面キー、１６３・・・メニューキー、１６４ａ〜１６４ｄ・・・方向キー、１６５・・・決定キー、１６６・・・表示切替キー
【図１】
2010226588.tif 000003
【図２】
2010226588.tif 000004
【図３】
2010226588.tif 000005
【図８】
2010226588.tif 000006
【図１０】
2010226588.tif 000007
【図１２】
2010226588.tif 000008
【図１４】
2010226588.tif 000009
【図４】
2010226588.tif 000010
【図５】
2010226588.tif 000011
【図６】
2010226588.tif 000012
【図７】
2010226588.tif 000013
【図９】
2010226588.tif 000014
【図１１】
2010226588.tif 000015
【図１３】
2010226588.tif 000016
【図１５】
2010226588.tif 000017
【図１６】
2010226588.tif 000018